(57)【要約】【課題】本発明は、建設用木製ブロック（２）を使用して垂直壁（１）を建設するための建設システムを提供する。【解決手段】ブロック（２）は実質的に平行六面体形状であり、上面及び下面に、これらの表面の全長に亘って延びる第１溝（５ａ、５ｂ）が設けられている。ブロックの上面と外面との間の押縁には、面取り部（１２）が設けられている。この押縁は、その全長に亘って第１溝と部分的に重なっている。システムは、更に、壁の隣接したブロックの第１溝間に水平に配置されるように設計された第１ブロック整合タング（６ａ）を含む。この第１タングは、ダブルパネル切開部を有する。切開部の第１パネルは第１溝と係合し、切開部の第２パネルは、ブロックの面取り部に押し付けられる。第２パネルと向き合った表面は、水をドレンするための斜めの傾斜を形成する。【選択図】図１
2009507153.tif 000002
【特許請求の範囲】
【請求項１】
垂直壁（１）を建設するための建設システムであって、
前記垂直壁（１）で、実質的に水平方向に互いに並べて、及び実質的に垂直方向に互いに重ねて配置されるようになった、実質的に矩形の平行六面体形状の建設用の木製のブロック（２）であって、上面と、下面と、内面と、外面と、前記壁の二つの当接面とを含み、前記ブロックの各々の上面及び下面には、これらの面の全長に亘って延びる少なくとも一つの第１の溝（５ａ、５ｃ）が設けられている、ブロックと、
前記壁の隣接したブロックの第１の溝の間に、水平方向に配置されるように構成されている、少なくとも一つの第１ブロック整合タング（６ａ）と、
を含む、建設システムにおいて、
前記ブロックの前記上面と前記外面との間の縁部は、前記第１の溝の部分とその全長に亘って重なる面取り部（１２）を含み、
前記第１タングは、全長に亘って二つの面（６２ａ、６２ｃ）を備えたノッチ（６０）を含み、前記ノッチの前記第１面（６２ｃ）は、前記第１の溝と整合してこれに嵌入し、前記ノッチの前記第２面（６２ａ）は前記面取り部に当接するように設計されており、前記第２面とは反対側の面（６２ｂ）は、水を前記壁の外側に向かって流し去るための斜めの傾斜を形成する、ことを特徴とする建設システム。
【請求項２】
請求項１に記載の建設システムにおいて、
前記ブロックの前記上面及び前記下面は、これらの面の全長に亘って延びる第２の溝（５ｂ、５ｄ）を有し、前記システムは、隣接したブロックの第２の溝の間に配置されるように設計された少なくとも一つの第２のブロック整合タング（６ｂ）を含む、ことを特徴とする建設システム。
【請求項３】
請求項１又は２に記載の建設システムにおいて、
前記第１及び／又は第２のタングの、前記第１及び／又は第２の溝の寸法に関する相対的寸法は、隣接したブロックの溝の間に形成されたキャビティ内でタングが僅かに圧縮されるように計算される、ことを特徴とする建設システム。
【請求項４】
請求項１又は２に記載の建設システムにおいて、
前記第１及び／又は第２の整合タングの長さは、前記第１及び／又は第２の溝の長さの２倍以上である、ことを特徴とする建設システム。
【請求項５】
請求項１乃至４のうちのいずれか一項に記載の建設システムにおいて、
前記タングはサービスダクト又はパイプである、ことを特徴とする建設システム。
【請求項６】
請求項１乃至４のうちのいずれか一項に記載の建設システムにおいて、
前記タングは、堅木又はファイバ構成要素で形成されている、ことを特徴とする建設システム。
【請求項７】
請求項１乃至６のうちのいずれか一項に記載の建設システムにおいて、
前記ブロックは、これらのブロックの当接面の各々に少なくとも一つの第３の溝（７）を有し、前記システムは、前記当接面の前記第３の溝の間に配置されるように設計された少なくとも一つの第３のタング（８）を含む、ことを特徴とする建設システム。
【請求項８】
請求項７に記載の建設システムにおいて、
前記第３の溝の寸法に対する前記第３のタングの相対的寸法は、前記タングが、隣接したブロックの溝の間に形成されたキャビティ内で僅かに圧縮されるように計算される、ことを特徴とする建設システム。
【請求項９】
請求項１乃至８のうちのいずれか一項に記載の建設システムにおいて、
前記ブロックの当接面は、前記当接面の全高に亘って実質的に垂直方向に延びる少なくとも一つの第４の溝（７１）を有し、該第４の溝の一方の端部が前記面取り部に向かって開放している、ことを特徴とする建設システム。
【請求項１０】
請求項１１に記載の建設システムにおいて、
前記ブロックの当接面は、前記当接面の全高に亘って実質的に垂直方向に延びる少なくとも一つの第５溝（７２）を有し、該第５溝の一方の端部が、前記第４溝の端部と前記第１溝との間で前記上面の前記面取り部に開放しており、前記システムは、前記第５溝に装入されるように設計された一組のシールを含む、ことを特徴とする建設システム。
【請求項１１】
請求項１乃至１０のうちのいずれか一項に記載の建設システムにおいて、
前記ブロックは、堅木又はファイバ構成要素で形成されている、ことを特徴とする建設システム。
【請求項１２】
前記壁の部分が、請求項１乃至１１のうちのいずれか一項に記載の建設システムを使用して形成された、ことを特徴とする壁。
【発明の詳細な説明】
【技術分野】
【０００１】
本発明は、実質的に水平方向に互いに並べて、及び実質的に垂直方向に互いに重ねて配置されるようになった、実質的に矩形の平行六面体形状の建設用木製ブロックであって上面と、下面と、内面と、外面と、壁の二つの当接面とを含むブロックを備える垂直壁を建設するための建設システムに関する。各ブロックの上面及び下面には、少なくとも、これらの面の全長に亘って延びる第１溝が設けられている。システムは、更に、壁の隣接したブロックの第１溝間に水平方向に配置されるようになった、少なくとも第１ブロック整合タングを含む。
【０００２】
本発明は、木材から形成された少なくとも一つの部品を含む、任意の種類の壁に関する。本発明は、外壁、支持壁、及び間仕切り等の住戸の壁に適用できる。本発明は、水泳用プール、サウナ、遮音壁、風除け壁等にも使用できる。
【背景技術】
【０００３】
壁を、その長さと等しい大きさの丸太や木材ビームを互いに重ねて形成した木材構造物が当該技術分野で周知である。
この種の構造は、原材料費及び労働経費の両方に関して比較的高価である。これは、長い丸太（即ち、壁の長さを持つ丸太）を使用する必要があるためである。更に、非常に長い丸太を作業場に輸送して組み合わせるのは、実施するのが困難であり且つ費用がかかる。
【０００４】
更に、これらの構造には重大なシール上の問題点がある。これは、加工されるべき材料が木材であり、完全に真っ直ぐな丸太を入手するのが困難であるためである。更に、時間の経過につれて、丸太の間に隙間が形成され、これにより、建物の特性のうち、とりわけ、熱的特性、音響的特性、及び水分シール性が大幅に低下する。
【０００５】
更に、木製ブリックを使用して製造した木材構造物が当該技術分野で周知である。木製ブリックは取り扱いが容易であり、一般的には組み立てが容易である。木製ブリックの費用は、丸太と比較して低い。これは、同じ量の木材について、ブリックの製造に必要とされる材木の量が少ないためである。
【０００６】
米国特許第５，８９０，３３２号には、再構成した(reconstituted) 木製ブロックを使用するモジュール式建設システムが開示されている。上記特許によれば、スラブ、好ましくはコンクリートスラブに金属製のロッドを垂直に固定する。中央に穴が設けられた木製ブリックをこれらのロッドに通して互いに重ねる。ロッドはアンカーボルトとして役立ち、互いに重ねたブリックを壁の高さに亘って互いにクランプできるようにする。このような木製ブリックの積み重ねを壁に沿って並べる。ブリックの表面に設けられた溝に配置した垂直整合キー及び水平整合キーにより、隣接したブリックを対をなして整合させることができる。更に、ブリックは、互いに結合される。
【０００７】
このような建設システムは、様々なモジュールを簡単に迅速に効果的に組み立てることができない。これは、この建設システムは、多くの「小さな」部品、即ち整合キーを製造して使用することを必要とするためである。これによって、部品の製造及び組み立てに時間及び労働経費がかかるためである。更に、この建設システムでは、平らな壁を得ることができない。この従来技術に記載されているように整合キーを使用すると、隣接したブリックを対をなして整合できるだけであって、ブリックを壁全体に亘って整合させることができない。更に、これらのキーは、ブリックを互いに対して所定の場所に保持しない。これは、ブリックを互いに結合する必要があるためである。これは、壁を建設する上で追加の工程を形成する。この工程により、建設システムは、接着剤を使用するため、環境にとって優しいものではなくなる。
【０００８】
更に、前記ブリックは、所与の積み重ねのブリックを互いに保持するアンカーボルトの圧力の作用で中央部が変形するということに着目すべきである。これにより壁が歪み、これにより、壁は直線状の支持面を持たない。ブリックの各積み重ねについてアンカーボルトを使用するため、後に壁を変更する（窓やドア等の開口部を形成する）のが困難である。
【０００９】
最後に、このシステムは、構造のシールの問題点を解決しない。これは、アンカーボルトの圧力の作用でブリックが変形すればする程、これらの壁のシールが低下するためである。
【００１０】
オーストラリア国特許第ＡＵ２，８４１，５７７号には、木製ブリックを使用して壁を建設するための建設システムが記載されている。ブリックは、二つの長さ方向両面に長さ方向溝を有する。これらのブリックは、建設されるべき壁の長さと等しい所定の長さのタングを使用して互いに接合される。これらのタングは、ブロックの溝間で水平方向に配置される。このシステムは、壁を形成するためにブリックを迅速に組み立てることができないけれども、構造をどのようにシールするのかの問題点を解決しない。
【特許文献１】米国特許第５，８９０，３３２号
【特許文献２】オーストラリア国特許第ＡＵ２，８４１，５７７号
【発明の開示】
【発明が解決しようとする課題】
【００１１】
本発明の一つの目的は、上述の従来技術の問題点を緩和する、部分的に木材で形成された壁を形成するための建設システムを提供することである。
本発明の一つの特定の目的は、シールがなされ、容易に且つ迅速に建設される安定した壁を低い費用で形成するための建設システムを提供することである。
【課題を解決するための手段】
【００１２】
これに関し、本発明による建設システムは、ブロックの上面と外面との間の縁部が、第１溝の部分とその全長に亘って重なる面取り部を含み、第１タングは、全長に亘って二つの面を備えたノッチを含み、ノッチの第１面は、第１溝と整合してこれに嵌着し、ノッチの第２面は面取り部に当接するように設計されており、第２面とは反対側の面は、水を壁の外側に向かって流し去るための斜めの傾斜を形成する、ことを特徴とする。
【００１３】
このようなシステムにより、特にシールが良好な壁を形成できる。第１タングは、壁の垂直方向で隣接したブロック間にシールを提供する。これは、壁のブリックに沿ってちょろちょろと流れる、又はブロック間に入り込む雨水が、第１小角材(batten)の斜めの傾斜が形成する去水面(flow-off surface)に沿って下方に流れるためである。かくして、水が壁から除去される。更に、水分を含んだ空気が、ブロック間で壁と接触し、液滴形態で凝縮する。こうした液滴は、小角材の去水面に落下し、壁から除去される。
【００１４】
このようなシステムにより、壁を非常に簡単に且つ非常に手早く低い費用で立てることができる。これは、ノッチ及び面取り部が設けられているため、第１タングが第１溝に容易に装入されるためである。
【００１５】
第１小角材は、隣接したブロックを互いに整合し且つ保持する機能及びシール部品の機能の二つの機能を果たす。製造されて組み立てられる部品の数が減少し、これによっても、製造、組み立て、及び労働の費用が減少する。
【００１６】
有利には、第１タングは、好ましくは、単一の部品として形成される。有利には、面取り部の輪郭は一定である。平らであってもよいし円形であってもよい。ノッチの面は、平らであってもよいし円形であってもよい。有利には、二つの面を持つノッチがさねはぎ溝を形成する。
【００１７】
有利には、第１タングの長さは、ブロックの第１溝の長さの二倍以上である。これは、壁で水平方向に並べて配置した全てのブロックの上面の第１溝が、長く連続した溝を形成するためである。この長い溝に配置した第１タングの長さにより、これらの下ブロックを、壁面全体に亘って整合し且つ互いに保持できる。
【００１８】
更に、下ブロック上に置かれる上ブロックの長さ方向下面には第１溝が設けられている。この第１溝により、上ブロックを下ブロック上において組み立てるのが容易である。
かくして、タングにより、上ブロックをその全長に亘って互いに整合でき且つ保持できるばかりでなく上ブロックを下ブロックに関して互いに整合でき且つ保持できる。
【００１９】
かくして、非常に真っ直ぐで安定した壁を容易に且つ迅速にしかも低い費用で建設できる。
有利には、任意の一つのブロックの第１溝は、互いに関して対称に配置されている。好ましくは、第１溝は、全てのブロックについて実質的に同じ位置にある。
【００２０】
本発明の別の目的は、音響的シール、熱的シール、及び耐水性のシールを提供する壁構造を可能にするシステムを提供することである。
この目的のため、本発明による建設システムは、第１タングの、第１溝の寸法に関する相対的寸法は、隣接したブロックの溝間に形成されたキャビティ内でタングが僅かに圧縮されるように計算される、ことを特徴とする。
【００２１】
かくして、第１溝間でその全長に亘って僅かに圧縮された第１タングは、垂直方向で隣接したブロック間にシールを形成する。このシールは、水分及び空気の両方の通過を阻止する有効な障壁を形成する。
【００２２】
従って、このようなシステムは、特に不透過性で直線状の安定した壁を迅速に容易にしかも低い費用で製造できる。これは、単一の部品、即ち第１タングが、垂直方向で隣接したブロック間のシールとして役立つと同時に、隣接したブロックを互いに整合し且つ保持するための部品として、及び隣接したブロック間から水を除去するための部品として役立つためである。
【００２３】
更に、このようなシステムは、環境に優しい構造を提供する。これは、汚染を引き起こさない更新可能な材料しか使用していないためである。
本発明の別の目的は、ブロックの表面に作用する引張応力を最小に減少し、木製ブロックの組み立てを容易にすることである。これらの木製ブロックが「作用」し、それらのブロックの元来の形状を失う。
【００２４】
この目的のため、本発明の一実施例による建設システムは、ブロックの上面及び下面に、これらの面の全長に亘って延びる第２溝が設けられており、隣接したブロックの第２溝間に配置されるように設計された少なくとも一つの第２ブロック整合タングを含む、ことを特徴とする。
【００２５】
木製ブロック、特に堅木ブロックの場合には、両面の各々に設けられた二つの溝は、ブロックに作用する引張応力を低減するのに役立つ。溝の数を増やすことによって、ブロックに現れる亀裂の大きさ（特にこれらの亀裂の大きさ及び数）を減少する。
【００２６】
更に、ブロックの木材の密度は、特にこれらのブロックが堅木(solod wood)で形成されている場合、均等でない。木材は、特に「コアドローイング(core drawing)」と呼ばれる作用で変形する。その結果、これらのブロックの面が膨らんだり凹んだりする。平らな接触面を持たないブロックを組み立てるのは困難である。ブロックの第２溝間に第２タングを設けることにより、組み立ての時点で、隣接したブロックを、第２溝が設けられた表面上で互いに安定させるのが容易になる。詳細には、これにより、ブロックの互いに関する「ローリング」又は「ピッチング」をなくす。
【００２７】
有利には、第２タングの長さは、ブロックの第２溝の長さの２倍以上である。かくして、壁の面の極めて大きい部分に亘り、複数のブロックを整合し組み立てるのが更に容易になる。
【００２８】
有利には、第２タングの、第２溝の寸法に関する相対的寸法は、隣接したブロックの溝間に形成されたキャビティ内でタングが僅かに圧縮されるように計算される。
有利には、所与のブロックの第２溝は、互いに関して対称に配置されている。好ましくは、第２溝は、全てのブロックに関して実質的に同じ位置にある。
【００２９】
好ましい実施例によれば、第１及び／又は第２の溝は、三角形断面を有する。このような断面を持つ溝には、矩形断面の溝とは異なり、タングと溝との間に隙間がないという利点がある。これは、このような溝が、タングと接触する表面が二つしかないためである。
【００３０】
別の実施例によれば、第１及び／又は第２の溝は、半円形又は円形の円弧をなした断面を有する。
有利には、第１溝に受け入れられるようになった第１タングの部分及び第２タングの断面は、円形、正方形、又は菱形である。
【００３１】
有利には、タングは木材（堅木又はファイバ構成要素）で形成される。木製のタングは、製造が容易であり且つ安価であり、環境に対して完全に優しく、容易に取り扱うことができる。更に、木材は、僅かに圧縮できる比較的剛性の材料である。別の実施例では、タングをプラスチックで形成する。
【００３２】
本発明の別の目的は、完全にシールされた状態を保持する壁にサービスダクト及び／又はパイプを通すことができる、建設システムを提供することである。
この目的のため、第１及び第２のタングはサービスダクト又はパイプである。ダクト又はパイプの設置は、ブロックの組み立て中に行われ、特に追加の設置を行う必要がない。
【００３３】
有利には、ブロックの溝間に配置したダクト又はパイプ自体がシールを形成する。溝の寸法に関するダクト又はパイプの相対的寸法は、詳細には、隣接したブロックの溝間に形成されたキャビティ内でダクト又はパイプが僅かに圧縮されるように計算される。
【００３４】
有利には、ブロックは、これらのブロックの二つの第２溝間を延びる穴を有する。かくして、垂直なダクト又はパイプ間を垂直方向で、簡単に連結できる。
別の特定の実施例によれば、特定のブロックが、これらのブロックの第２溝の一方から延びてこれらのブロックの内面（又は外面）に開放する穴を備えている。この穴により、ダクト又はパイプを壁から出すことができる。
【００３５】
これらの穴は、建設上の必要に応じて、組み立て前（ブロック製造場所で）に形成してもよいし、又は組み立て時に形成してもよい。かくして、アクセス箇所及び連結箇所を非常に正確な位置に置いた、注文製作の、隠された、ダクト又はパイプのネットワークを非常に容易に且つ迅速に製造できる。
【００３６】
有利には、建設システムは、ダクト又はパイプの連結部分及び出口を効果的にシールするようにこれらの穴に通すようになった、少なくとも一つのシース又はブレースを含む。
本発明の一つの特定的な実施例では、ブロックは、これらのブロックの当接面の各々に少なくとも一つの第３溝を有し、システムは、当接面の第３溝間に配置されるように設計された少なくとも一つの第３タングを含む。
【００３７】
好ましくは、第３溝の寸法に対する第３タングの相対的寸法は、タングが、隣接したブロックの溝間に形成されたキャビティ内で僅かに圧縮されるように計算される。このようにして、隣接したブロックの横面のところで壁をシールする。
【００３８】
好ましくは、ブロックは、食い違い態様で配置される。これによって、ブロックを互いに関して良好に保持する。有利には、第３タングの長さは第３溝の長さと同じであるか或いはこれよりも短い。有利には、第３タングは、堅木又はファイバ構成要素で形成される。
【００３９】
有利には、横面の第３溝は、長さ方向面の第１溝及び／又は第２溝と交差しない。そのため、水平方向で使用したタングと、水平方向で使用したタングとは互いに干渉しない。
本発明の一つの特定的実施例では、ブロックの当接面は、当接面の全高に亘って実質的に垂直方向に延びる少なくとも一つの第４溝を有し、該第４溝の一方の端部が面取り部に開放している。
【００４０】
これらの第４溝は、水平方向で隣接したブロック間にガター(gutter)を形成する。これらのガターにより空気を循環でき、及び従って、水平方向で隣接したブロック間を換気する。水分を含んだ空気は、ブロックの当接面間に入り込むと、換気溝に案内される。空気中の水分が液滴として凝縮すると、液滴は、直ぐ下の第１タングの傾斜した表面上に落下し、壁から除去される。
【００４１】
同様に、水分を含んだ空気が面取り部と第１小角材の二面ノッチとの間に入り込んで液滴として凝縮すると、これらの液滴は面取り部に沿って移動するか或いは第４溝内に落下する。水分は壁から容易に除去される。
【００４２】
本発明の好ましい実施例によれば、ブロックの当接面は、当接面の全高に亘って実質的に垂直方向に延びる少なくとも一つの第５溝を有し、この第５溝の一方の端部が、第４溝の端部と第１溝との間で上面の面取り部に開放しており、システムは、第５溝に装入されるように設計された一組のシールを含む。
【００４３】
シールは、壁のブロックの当接面間に完全なシールを提供する。第５溝の端部の位置により、これらの端部のところで、凝縮物が、面取り部、ブロックの第４溝、及びブロックの真下に配置されたタングの去水面に沿って除去される。
【００４４】
好ましくは、第４溝及び第５溝の位置は、各ブロックについて実質的に同じである。
本発明の別の目的は、ブロックを互いに容易に取り付けることができる建設システムを提供することである。
【００４５】
この目的のため、少なくとも一つのブロックは、上面と下面との間をこれらの面に対して実質的に垂直方向に延びる少なくとも一つの第１ドリル穴を有する。システムは、前記第１ドリル穴を通って摺動するようになった少なくとも一つのアンカーボルトを含む。
【００４６】
ブロックは、更に、上面から、第１ドリル穴と実質的に平行に延びる少なくとも一つの第２ドリル穴を含む。
次いで、アンカーボルトを第１ブロックの第１ドリル穴を通して摺動し、第１ブロックの下に配置された第２ブロックの第２ドリル穴にねじ込むことができる。
【００４７】
システムにより、垂直方向で隣接した二つのブロックを簡単に固定でき、及びかくして壁の様々な構成要素を容易に且つしっかりと固定できる。更に、ブロックを対をなして組み立てるこのような方法により、壁を後に変更できる。これは、かくして製造した壁に開口部を容易に形成できるためである。この際、壁の残りの部分は、全体として整合状態に保持される。
【００４８】
更に、アンカーボルトは、壁の垂直方向で隣接したブロック間に所定の圧力を加える。かくして、アンカーボルトは、タングの全長に亘り、タングと溝との間を常に接触させる。このようにして、壁は完全にシールされる。
【００４９】
更に、建設システムにより、壁ブロックの整合の検査及び調節をほぼ完全に行うことができる。第１ブロックを第２ブロックに接合するアンカーボルトを大きく又は小さく締め付けることにより、第２ブロックの整合及び水平方向位置を完全に制御できる。第２ブロックの直線性は、レーザーを使用して検査してもよい。この技術により、ブロックの位置を個々に検査できる完全に直線状の壁を建設できる。
【００５０】
本建設システムにより、絶対的に完全にシールされていなければならない壁（例えば水泳用プールやサウナ等を建設するための壁）を建設できる。この目的のため、ブロックの隣接した表面間に、及び／又はノッチの第２面とブロックの面取り部の縁部との間に追加のシールを配置してもよい。好ましい実施例では、これらのシールは疎水性のゴム、例えば独立気泡ゴムで形成される。ゴムは、環境に優しい材料である。
【００５１】
建設システムにより、建物構成要素用の支持壁を形成できる。この目的のため、特定のブロックを他のブロックよりも狭幅にする。その結果、壁で互いに並べて配置したこれらのブロックは、建物構成要素を支持するための凹所を壁に形成する。壁のこの凹所により、床を支持するための根太、垂木、母屋桁、又は屋根を支持するための棟木梁等の建物構成要素を受け入れるための支持面を形成する。かくして、製造されて組み立てられる部品又は構成要素の数を減らすことによって、住戸を容易に且つ安価に建設できる。
【００５２】
有利には、ブロックは堅木で形成されており、本発明によるシステムにより内壁及び外壁の両方として役立つ住戸用の壁の形成できる。
堅木は、外壁を形成する上で選択される周知の断熱性を備えている。このような住戸を形成する費用は小さい。これは、住戸の内壁用のこうした壁を、断熱及び美観の両方に関してカバーを設ける必要がないためである。更に、異なる色の木材から形成されたブリックを選択することにより、何らかのパターンを備えた壁を形成できる。別の実施例では、ブロックは、ファイバ構成要素（例えば硬化積層材又はシールドＭＤＦ又は積層木、等）から形成されていてもよい。
【００５３】
本発明の別の目的は、本発明による建設システムを使用して形成された部品を含む。
本発明の別の目的は、本発明による建設システムで使用する建設用ブロックを提供することである。
【００５４】
本発明のこれらの及び他の特徴は、本発明の特定の実施例の詳細な説明を添付図面を参照して読むことにより明らかになるであろう。
添付図面は縮尺通りでない。添付図面において、全体として、同様の構成要素に同じ参照番号が付してある。
【発明を実施するための最良の形態】
【００５５】
図１は、本発明による建設システムを使用して形成した、工事中の壁の一例の斜視図である。
壁１は、矩形の平行六面体形状の建設用木製ブロック２を含む。これらのブロックは、食い違い態様で互いに並べて及び互いに重ねて配置される。これらのブロックは、好ましくは、堅木で形成されている。しかしながら、これらのブロックは、ファイバ構成要素で形成されていてもよい。ブロック２の水平方向長さ方向上面には、この面の長い方の側部と平行な二つの溝５ａ、５ｂが設けられている。これらの溝は、この面の全長に沿って延びている。同様に、ブロック２の水平方向長さ方向下面には、この面の長い方の側部と平行な二つの溝５ｃ、５ｄが設けられている。これらの溝は、この面の全長に沿って延びている。好ましくは、上面の二つの溝５ａ、５ｂは、下面の二つの溝５ｃ、５ｄと対称に配置されている。
【００５６】
ブロック２の上面と外面との間の交差部近くの縁部には面取り部１２が設けられている。面取り部１２の輪郭は一定であり且つ平らである。輪郭には、丸みが付けてあってもよいし、所定の成形形状を備えていてもよい。面取り部１２は、その長さに亘って第１溝５ｂの部分と重なる。
【００５７】
台形断面の第１タング６ａは、さねはぎ溝６０を含む。第１タング６ａは、実質的に正方形断面の第１部分６１、及びこの第１部分６１に連結された実質的に台形断面の第２部分６２を有する。さねはぎ溝６０は、第１溝５ａに載止する第１面６２ｃを有する。さねはぎ溝６０は、下側にあるブロック２の面取り部１２に載止する第２面６２ａを有する。この面は、面取り部１２の輪郭と相補的な表面を形成する。タング６ａの第２面６２ａが面取り部１２の輪郭と相補的であるため、これらの二つの表面間の隙間及び間隔は最少に小さい。シール（図示せず）をこれらの二つの表面間に配置してもよい。第２面６２ａとは反対側の表面６２ｂは、水を流し去るための去水面(water flow-off surface)６２ｂを形成する。
【００５８】
第１タング６ａの第１部分６１は、壁１の全長に亘り、ブロック２の溝５ａと５ｂとの間に配置される。タング６ａの第１部分６１により、互いに水平方向に並べて配置した所与の段のブロック２を、壁１の全長に亘って所定の場所に保持でき且つ整合できる。更に、互いに重ねて配置した二つの段のブロック２を所定の場所に保持でき且つ整合できる。
【００５９】
第１タング６ａの第１部分６１を、隣接したブロック２の溝５ａと５ｃとの間に配置したとき、第１タング６ａの去水面６２ｂがブロック２の外垂直面上で停止する。去水面６２ｂは、更に、ブロック２の外垂直面をほんの僅か越えて延びていてもよい。去水面６２ｂにより、壁１から水を除去でき、かくして水分が壁１に侵入しないようにする。
【００６０】
壁１の全長に亘り、ブロックの溝５ｂと５ｄとの間に第２タング６ｂを配置する。このタング６ｂは、第１タング６ａによって提供されるブロック２の互いに関する保持及び整合を強化する。
【００６１】
壁１とできるだけ長さが等しいタング６ａ、６ｂを使用する。第１及び第２のタング６ａ、６ｂは、有利には、縁部に面取りが施してある。
堅木で形成された部品は、その元来の形状を維持するのが困難であるということは当業者に周知である。ブロック、特に堅木で形成されたブロックの木材の密度は均等でなく、木材は「コアドローイング(core drawing)」と呼ばれる作用を含む様々な作用で変形する。この現象は、ブロック２が堅木で形成されている場合に生じ、これらのブロックの面が膨らんだり凹んだりする。ブロック２間の接触面毎に二つの溝（５ａ、５ｂ）及び（５ｃ、５ｄ）を設けることにより、互いに重ねて配置したブロックを更に効果的に安定させる。このようにして、上側のブロック２の下側のブロック２に対する「ピッチング」又は「ローリング」をなくす。
【００６２】
更に、溝５ａ、５ｂ、５ｃ、５ｄは、木製ブロック２の内部引張応力を低減するための手段として役立つ。溝の数を増やすことによって、木材に現れる亀裂の大きさ（数及び大きさ等）が減少する。
【００６３】
壁１の第１段を形成するブロック２を、従来の方法（本明細書中には説明しない）で基礎に固定する。基礎は、コンクリート製の第１基礎（図示せず）を含み、ここにコンクリート製の包囲体（図示せず）を載せる。第１段のブロック２をこの包囲体に取り付ける。
【００６４】
ブロック２の各当接面には、長さ方向上面と下面との間を延びる垂直溝７が設けられている。タング８が、水平方向で隣接したブロック２間で溝７内に配置される。タング８により、水平方向で隣接した対をなしたブロック２を所定の場所に保持し且つ整合することができる。
【００６５】
溝７は、好ましくは、円形の円弧をなした断面を有する。この円形の円弧は、半円と等しいか或いはそれよりも短い。円形断面のタング８は、水平方向で隣接した二つのブロック２の溝７間の所定の場所に、これらのブロック２の全高に亘って保持される。タング８は、タング８と溝７の各表面との間の接触を確実にするように、溝７によって形成された空間内で僅かに圧縮される。かくして、壁は、ブロック２の当接面のところでシールされる。
【００６６】
ブロック２の各当接面には、更に、面取り部１２に開放した二つの垂直溝７１及び７２が設けられている。ブロックの外面に近い垂直溝７１は、隣接したブロックの当接面間に換気ガターを形成する。空気中の水分がガターと接触して凝縮すると、水が溝７１に沿って、次いで去水面６２ｂに沿って流れ去る。かくして、水分が壁１の内部から遠ざけられる。溝７２には、タング（図示せず）又はシールが配置される。
【００６７】
ブロック２は、アンカーボルト１４を使用して対をなして取り付けられる。本発明の好ましい実施例では、各ブロック２は、ブロック２の水平方向長さ方向上面と水平方向長さ方向下面との間を延びる四つのドリル穴４ａ、４ｂ、４ｃ、４ｄを有する。ブロック２を、既に互いに接合してある一列のブロック２の上に配置する。アンカーボルト１４を、取り付けられるべきブロック２のドリル穴４ａ、４ｃに通し、その下に配置された二つのブロック２の一方の二つのドリル穴２０ａ、２０ｃにねじ込む。同様に、アンカーボルト１４を、取り付けられるべきブロック２のドリル穴４ｂ、４ｄに通し、その下に配置された他方のブロック２の一方の二つのドリル穴２０ｂ、２０ｄにねじ込む。ドリル穴４ａ、４ｂ、４ｃ、４ｄに配置されたアンカーボルト１４を大きく又は小さく締め付けることによって、取り付けられるべきブロック２の水平度を、特に「レーザー水準器」を使用して検査できる。
【００６８】
別の実施例（図示せず）では、アンカーボルトの代りに、木製ペグ、釘、又はブロックを組み立てるための任意の他の同様の手段を使用できる。
図２は、本発明の好ましい実施例による二つの重ねたブロックの断面図である。
【００６９】
ブロック２ａは、壁１のブロック２ｂの上に配置される。ブロック２ａ及び２ｂには、同じ直角三角形断面の溝５ａ、５ｂ、５ｃ、５ｄが設けられている。一方のブロックには、溝５ａ、５ｂが溝５ｃ、５ｄに関して対称に配置されており、溝５ａ、５ｂは、溝５ｃ、５ｄに関して対称である。
【００７０】
正方形断面のタング６ｂは、ブロック２ｂ及び２ａの夫々の溝５ｂと５ｄとの間に、壁１の長さに亘って僅かに圧縮された状態で接触した状態で保持される。タング６ａの第１部分６１の正方形断面は、ブロック２ｂ及び２ａの夫々の溝５ａと５ｃとの間に、壁１の長さに亘って僅かに圧縮された状態で接触した状態で保持される。
【００７１】
第２タング６ｂ（及び第１タング６ａの第１部分６１）の断面積は、溝５ｂ、５ｄ（及び溝５ａ、５ｃ）が形成する空間の断面と等しいか或いは僅かに大きい。タング６ｂ（及び第１タング６ａの第１部分６１）の側部の長さは、溝５ｂ、５ｄ（及び溝５ａ、５ｃ）の側部の長さと等しいか或いは僅かに大きい。
【００７２】
ブロック２を所定の場所に保持し且つ整合するタング６ａ、６ｂは、溝５ｂ、５ｄ、及び５ａ、５ｃ間で圧縮できるように、完全には剛性でない木材等の材料で形成されている。タング６ａ、６ｂは、ブロック２ａ及び２ｂを互いに保持するアンカーボルト１４によって圧縮状態に保持される。かくして、タング６ａ、６ｂと、ブロック２ａ、２ｂの溝５ａ、５ｂ、５ｃ、５ｄの各表面との間に、これらの溝の全長に亘り、接触線がある。更に、タング６ａの第２部分６２は、壁１の長さに亘り、ブロック２ｂの面取り部１２と接触した状態に保持される。
【００７３】
この原理を壁１の全てのブロック２に適用することにより、ブロック２ａと２ｂとの間に、音響、熱、及び水分に対する完璧なシールを形成する。
一つの特定の実施例では、タング６ａ、６ｂを溝５ａ、５ｂ、５ｃ、５ｄで結合してもよい。タング６ａ、６ｂは、木材、ゴム、プラスチック等の様々な材料から形成できる。
【００７４】
ブロック２ａ、２ｂは、下面に沿って、この下面の外縁と溝５ａ、５ｂとの間に配置された溝即ちドリップ１３を備えている。このドリップ１３は、ブロック２ａの下面に沿って壁１の内部に向かって移動する傾向のある水を遮断する。ブロック２ａのドリップ１３は、第１タング６ａの去水面６２ｂの上方に配置される。ドリップ１３のところで遮断された水は、かくして、去水面６２ｂ上に落下し、壁１の外側に向かって流れ去る。
【００７５】
シール１６が、壁１の全長に亘り、ブロック２ａ及び２ｂの上面と下面との間に配置されていてもよい。更に、水平方向で隣接した対をなしたブロック２の当接面間にシール（図示せず）が配置されていてもよい。シールは、独立気泡ゴム等の疎水性材料で形成される。
【００７６】
図８は、本発明の好ましい実施例によるシステムを使用して形成した壁の正面図である。ブロック２ａがブロック２ｂに載せてあり、アンカーボルト１４ａ、１４ｂ、１４ｃ、１４ｄを使用して取り付けられている。ブロック２ａは、アンカーボルトの頭部及び圧縮ワッシャ（図２参照）を埋め込むため、アンカーボルト１４ａ、１４ｂ、１４ｃ、１４ｄよりも僅かに大径の二つのドリル穴４ａ及び４ｂ、及び２つのドリル穴４ｃ及び４ｄ（図示せず）を有する。ドリル穴４ａ、４ｂ、４ｃ、４ｄは、ブロック２ａの上面と下面との間で垂直方向に延び、好ましくはブロック２ａの製造中に形成される。
【００７７】
ブロック２ｂは、これらのブロック２ｂの上面から垂直に延びる二つのドリル穴２０ａ及び２０ｂ、及び２つのドリル穴２０ｃ及び２０ｄ（図示せず）を有する。ドリル穴２０ａ、２０ｂ、２０ｃ、２０ｄの直径は、アンカーボルト１４ａ、１４ｂ、１４ｃ、１４ｄの直径よりも小さい。ドリル穴２０ａ、２０ｂ、２０ｃ、２０ｄの長さは、アンカーボルト１４ａ、１４ｂ、１４ｃ、１４ｄの大きさで決まり、ブロックを貫通しないように、ブロック２ｂの高さよりも小さい。アンカーボルト１４ａ、１４ｂをブロック２ａのドリル穴４ａ及び４ｂに挿入した後、ブロック２ｂのドリル穴２０ａ、２０ｂにねじ込み、ブロック２ａを、このブロック２ａが載ったブロック２ｂに取り付ける。ドリル穴２０ａ及び２０ｂは、好ましくは、これらのドリル穴２０ａ及び２０ｂがドリル穴４ａ及び４ｂと確実に正しく整合するように、組み立て時にドリル穴４ａ及び４ｂを使用して形成される。ブロック２ａのドリル穴４ａ及び４ｂは、ブロック２ｂのドリル穴２０ａ及び２０ｂが、ブロック２ａが組み立てられるべきブロック２ｂのドリル穴４ａ及び４ｂと整合した状態から外れないように、ブロック２ｂのドリル穴４ａ及び４ｂと整合しないようにするように配置される。
【００７８】
壁でのブロック２ａの水平度を検査するように、アンカーボルト１４ａ及び１４ｂをきつく締め付けてもよいし緩く締め付けてもよい。
図３は、水平方向で隣接したブロックが所与の段に積んである、本発明の好ましい実施例の建設中の壁を上方から見た図である。
【００７９】
タングの長さは、好ましくは、壁１の長さと等しい。しかしながら、大きな壁（特に長い壁）については、図１及び図２に示すように一つのタング６ａ、６ｂしか使用しないというのは困難である。この場合には、壁１の所与の段の水平方向で隣接したブロック２の溝５ａに、互いに突き合わせた二つのタング６ａ１及び６ａ２を配置する。同様に、タング６ｂ１及び６ｂ２が、壁の同じ段の水平方向で隣接したブロック２の溝５ｂに端部と端部とを向き合わせた状態で配置されている。
【００８０】
タング間の接合部で壁のシールが失われないようにするため、タング６ａ１、６ａ２、及び６ｂ１、６ｂ２の夫々の端部１７ｃ、１７ｄ、及び１７ｂ及び１７ａは、斜め継手を形成するように斜めに切ってある。更に、タング６ａ１及び６ａ２は、異なるブロック２上に、及び好ましくはタング６ｂ１及び６ｂ２が組み立てられる、ブロック２と隣接していないブロック上に組み立ててある。かくしてタング６ａ１、６ａ２、及び６ｂ１、６ｂ２がセットバックしてある場合でも、これらのタング６ａ１、６ａ２、及び６ｂ１、６ｂ２の接合部でシールが維持される。
【００８１】
図４は、パイプやダクトを通すことができるサービス空間を備えた、本発明の好ましい実施例の建設中の壁の斜視図である。
壁の一つの段の水平方向で隣接したブロック２の溝５ａが、ダクト９ａを配置するサービス空間を形成する。ダクト９ａは、整合−保持タングとして作用する。ブロック２ｃは溝５ａから延びる中央穴９０を有する。ブロック２ｃの内面には垂直穴９０に連結した水平穴９１が設けられており、この穴は、垂直穴９０と壁１の外側とのリンクを提供する。穴９０及び９１は、好ましくは、壁１の組み立て時に、例えば冠鋸を使用して形成される。
【００８２】
垂直穴９０は、ブロック２ｃの上面と水平穴９１との間を延びる。水平方向サービス空間を垂直方向で連結できるように、ブロックの全高に亘って延びる垂直穴を形成してもよい。
【００８３】
ダクト９ａは、僅かに圧縮できる場合には、タング６ａと同様にシール機能を提供する。ブレース又はシース９ｂを穴９０及び９１に配置してもよい。
図６は、パイプやダクトを通すことができるサービス空間を持つ、本発明の別の実施例による建設中の壁の斜視図を示す。
【００８４】
ブロック２ｃの上面には、ブロック２ｃの溝５ａと壁１の外側との間にリンクを提供する半円筒形の溝５ｅが設けられている。同様に、ブロック２ｃの上に組み立てられるべきブロック２ａの下面には、溝５ｅと同じ溝５ｆが設けられている。この溝５ｆは、溝５ｃに関してリンクを提供する。
【００８５】
図５は、本発明の好ましい実施例によるシステムを使用して形成した、建設中の二つの壁の間に形成される隅部の斜視図を示す。
壁１ａのブロック２ｆは、壁１ｂのブロック２ｈ、２ｇと食い違い態様で組み立てられる。隅部ブロック２ｇは上下の表面に追加の溝５ｅを有する。溝５ｅは面の短側部と平行である。同様に、ブロック２ｇは、上面の短側部一方の縁部に追加の面取り部１２ｂを有する。面取り部１２ｂ及び追加の溝５ｅにより、壁１ａの隅部ブロック２ｆと壁１ｂの隅部ブロック２ｇとの間に壁１ａのタング６ａを配置できる。壁１ａの隅部ブロック２ｆの二つの溝５ａと５ｃとの間に配置された内タング６ｂは、壁１ｂの隅部ブロック２ｆ、２ｇとの交差部のところが切ってある。
【００８６】
隅部ブロック２ｆ、２ｇ、２ｈは、かくして、互いに積み重ねて保持するのが容易である。タング６ａは、隅部のところでも、壁１ａ、１ｂをシールし続ける。
図７は、本発明の好ましい実施例によるシステムを使用して形成した、建物構成要素用支持体を持つ壁の斜視図である。
【００８７】
壁１は、一つ又はそれ以上の段に、水平方向で隣接した一連の半ブロック２ｎを含む。半ブロック２ｎの幅は、壁１の他のブロックの半分であり、壁１に凹所１９を形成する。ブロック２ｎの下に配置されたブロック２ｍは、床を支持するようになった根太２３が載る支承面を凹所１９のところに形成する。凹所１９は、垂木、母屋桁、又は屋根を支持するための棟木梁等の任意の建物構成要素用の支持体として役立つ。
【００８８】
凹所１９は、半ブロック２ｎと同じ幅の一組の半ブロック２ｐで満たされる。半ブロック２ｎ及び２ｐは、壁の他のブロックに組み立てて固定できるように、一組の溝、穴、ドリル穴、及び面取り部を有する。根太２３の上面及び下面の各々には、半ブロック２ｐの溝の長さに沿って延びる溝（図示せず）が設けられている。これらの半ブロック２ｐの溝に装入した第２小角材は、根太の溝にも装入される。かくして、根太のところでシールが維持され、第２小角材を切断する必要がない。更に、第２小角材により、根太２３を壁の所定の場所に保持でき、凹所１９からスリップして出ないようにする。
【００８９】
図８に戻ると、壁１には、窓枠取り付け用ポケット２１が設けられている。ブロック２２は、窓のまぐさとして役立ち、他のブロック２と同じ断面を有し、窓の幅よりも大きな長さを有する。図９は、壁１のポケット２１の断面の斜視図を示す。
【００９０】
まぐさ２２の下には、窓又はドアの枠支持体１００を取り付けるための開口部ライニングとして役立つブロック２３が配置されている。他のブロック２の断面と実質的に同じ断面を持つ開口部ライニング２３を組み立て、壁１に他のブロック２と同様の方法で固定する。開口部ライニング２３は好ましくは木製の三つの形材を含む。これらの形材は、従来の方法で、例えば接着剤及び／又はねじを使用して互いに接合される。開口部ライニング２３は、かくして、壁の他のブロック２と同じ幅の上形材２３ａと、さねはぎ溝を持つ二つの横形材２３ｃ、２３ｂを有する。下形材２３ｃ、２３ｂの幅は、上形材２３ａの幅の半分よりも小さく、枠支持体１００を挿入できる開口部２４及びキャビティ２５を形成する。開口部２４の壁２４ａは、開口部２４に挿入した枠支持体１００の壁１００ａと実質的に隣接している。キャビティ２５の幅は、開口部２４の幅よりも大きい。下形材２３ｂ、２３ｃの内壁２４ｂ、２４ｄは、レール２６が載る支持面を形成する。レール２６は枠支持体１００に固定されており、これにより枠支持体１００のアッセンブリを開口部ライニング２３に組み立てることができる。
【００９１】
木材には圧縮力が自然に経時的に加わるということは、当業者に周知である。圧縮効果は、壁のブロックに加わる圧力によって一層大きなものとなるこれにより、キャビティ２５の高さが経時的に減少する。従って枠支持体１００が圧縮され、これによって変形を生じ、窓の開け閉めを困難にする傾向がある。こうした問題点をなくすため、キャビティ２５の高さはレール２６の高さよりも大きく、レール２６の上壁と上形材２３ａの下壁との間に空間を形成する。まぐさ２２及び開口部ライニング２３は、枠支持体１００を変形させることなく変形できる。好ましくは、空間の高さ（ｈＲ）は、キャビティ２５の高さについて計算した、木材の圧縮によるキャビティ２５の高さ（ｈＣ）の減少と等しい。木材の半径方向収縮（ｘ）は、  ０．８％乃至１．２％である。圧縮性材料（ゴム、合成フォーム、等）製のシール２７をレール２６と形材２３ａとの間の空間に配置する。
【００９２】
開口部ライニング２３は、三つの形材２３ａ、２３ｂ、２３ｃから形成されている。勿論、単一の部品として形成されていてもよいし、五個の部品で形成されていてもよい。
本発明の別の実施例（図示せず）では、第１タング６ａ及び第２タング６ｂの第１部分６１は円形の断面を有する。タング６ａ、６ｂの断面の直径は、溝５ａ、５ｂ、５ｃ、５ｄの側部の長さと等しいか或いはこれよりも僅かに大きい。
【００９３】
本発明の別の実施例（図示せず）では、ブロック２は、截頭三角形形態の、即ち台形形態の断面を持つ溝５ａ、５ｂ、５ｃ、５ｄを有する。第１タング６ａ及び第２タング６ｂの第１部分６１は、従って、溝５ａ、５ｂ、５ｃ、５ｄと断面が等しいか或いはこれよりも僅かに大きい正六角形断面を有する。別の態様では、タングの断面は円形である。
【００９４】
本発明の別の実施例（図示せず）では、ブロック２は、半円形断面の溝５ａ、５ｂ、５ｃ、５ｄを有する。この場合、第１タング６ａ及び第２タング６ｂの第１部分６１は、直径が溝５ａ、５ｂ、５ｃ、５ｄと等しいか或いはこれよりも僅かに大きい円形断面を有する。別の態様では、第１タング６ａ及び第２タング６ｂの第１部分６１は、正方形断面を有する。正方形の側部の長さは、溝５ａ、５ｂ、５ｃ、５ｄの直径と等しいか或いはこれよりも僅かに大きい。
【００９５】
本発明は、上文中に特定的に開示し且つ説明した実施例に限定されないということは、当業者には明らかであろう。本発明は、全ての新規な特徴及びこれらの特徴の各組み合わせを含む。特許請求の範囲に記載の参照番号は、保護範囲を限定しようとするものではない。「備えている、含む、有する」といった用語及びこれらの用語と関連した用語は、特許請求の範囲中に列挙した以外の構成要素の存在を排除するものではない。複数であることが表示されていない場合でも、当該構成要素が複数個存在することを排除しない。
【００９６】
本発明を例示する特定の実施例に関して本発明を説明したが、本発明は、これらの実施例に限定されない。
【図面の簡単な説明】
【００９７】
【図１】図１は、本発明による建設システムを使用して形成した建設中の壁の一例の斜視図である。
【図２】図２は、本発明の好ましい実施例による二つの重ねたブロックの断面図である。
【図３】図３は、隣接したブロックが所与の段で水平方向に並んだ、本発明の好ましい実施例による建設中の壁を上方から見た斜視図である。
【図４】図４は、パイプやダクト通すためのサービス空間を持つ、本発明の好ましい実施例による建設中の壁を示す斜視図である。
【図５】図５は、本発明の好ましい実施例によるシステムを使用して形成した建設中の二つの壁間に形成された隅部の斜視図である。
【図６】図６は、パイプやダクト通すためのサービス空間を持つ、本発明の別の実施例による建設中の壁の斜視図である。
【図７】図７は、本発明の好ましい実施例によるシステムを使用して形成した建物用構成要素用支持体を持つ壁の斜視図である。
【図８】図８は、本発明の好ましい実施例によるシステムを使用して形成した壁の長さ方向断面図である。
【図９】図９は、ポケットを備えた壁の断面を示す斜視図である。
【図１】
2009507153.tif 000003
【図２】
2009507153.tif 000004
【図３】
2009507153.tif 000005
【図４】
2009507153.tif 000006
【図５】
2009507153.tif 000007
【図６】
2009507153.tif 000008
【図７】
2009507153.tif 000009
【図８】
2009507153.tif 000010
【図９】
2009507153.tif 000011
【国際調査報告】
2009507153.tif 000012
2009507153.tif 000013
2009507153.tif 000014
2009507153.tif 000015